(57)【要約】【課題】光ディスク装置の製造時に光ディスク装置毎の信号の読み値を補正する必要が無い光ディスク装置およびその制御方法を提供することを目的とする。【解決手段】光源２ａの発光パターンを設定し、光源２ａの発光量を調整する発光量調整回路４を複数の駆動値で駆動しながら光ディスク１に記録を行い、それぞれの駆動値に対応する記録信号を再生して発光量調整回路４の調整目標値を決定する際に、ＣＰＵ１１は、記録信号を再生する際に記録信号の立ち上がり領域の基準クロック信号に対する位相差を計測し、駆動値に応じて異なる位相差から発光量調整回路４の調整目標値を決定することを特徴とする。【選択図】図１
2010165386.tif 000002
【特許請求の範囲】
【請求項１】
レーザ光を発光する光源と、
前記レーザ光を光ディスクに照射してデータを記録する光ピックアップと、
前記光源の発光パターンを調整する発光パターン調整手段と、
前記光源の発光量を調整する発光量調整手段と、
前記記録信号を読み取る基準となる基準クロック信号を生成する基準クロック生成手段と、
前記記録信号を再生する際に前記基準クロック信号に対する位相差を計測する位相差計測手段と、
前記発光パターン調整手段に発光パターンを設定し、前記発光量調整手段を複数の駆動値で駆動しながら前記光ディスクに記録を行い、それぞれの駆動値に対応する記録信号を再生して前記発光量調整手段の調整目標値を決定する制御手段と、を備え、
前記制御手段は、前記記録信号を再生する際に前記記録信号の立ち上がり領域の前記基準クロック信号に対する位相差を計測し、前記駆動値に応じて異なる前記位相差から前記発光量調整手段の調整目標値を決定することを特徴とする光ディスク装置。
【請求項２】
前記位相差を検出する記録信号は、３Ｔスペース後の３Ｔ記録マークの記録信号であることを特徴とする請求項１記載の光ディスク装置。
【請求項３】
前記記録信号を再生する際にβ値を計測するβ値計測手段と、
前記光ディスクにデータを記録する、もしくは前記光ディスクに記録されたデータを再生する際の前記β値の調整目標値とする目標β値と、前記記録信号を再生するときの基準値とする基準β値とを記憶する記憶手段と、を有し、
前記制御手段は、前記記録信号を再生する際に前記位相差が略０のときのβ値を検出し、そのときのβ値が前記基準β値と同一になるように補正値を決定し、以降、前記光ディスクにデータを記録もしくは前記光ディスクに記録されたデータを再生する際に得られるβ値を前記補正値で補正して、補正後のβ値が前記目標β値となるように前記発光量調整手段の調整目標値を決定することを特徴とする請求項２記載の光ディスク装置。
【請求項４】
光源の発光パターンを設定し、前記光源の発光量を調整する発光量調整手段を複数の駆動値で駆動しながら光ディスクに記録を行い、それぞれの駆動値に対応する記録信号を再生して前記発光量調整手段の調整目標値を決定する光ディスク装置の制御方法であって、
前記記録信号を再生する際に前記記録データを読み取る基準となる基準クロック信号を生成し、前記記録信号の立ち上がり領域の前記基準クロック信号に対する位相差を計測し、前記発光量調整手段の駆動値に応じて異なる前記位相差から前記発光量調整手段の調整目標値を決定することを特徴とする光ディスク装置の制御方法。
【発明の詳細な説明】
【技術分野】
【０００１】
本発明は、光ディスクに情報の記録を行う光ディスク装置およびその制御方法に関するものである。
【背景技術】
【０００２】
光ディスク装置は、装着された光ディスクに最適な記録ができるように光源の発光量を調整している。
【０００３】
従来の光ディスク装置では、レーザ光を発光する光源と、レーザ光を光ディスクに照射してデータを記録する光ピックアップと、光源の発光量を調整する発光量調整回路と、光ディスクからの反射光を基にＲＦ信号を生成するＲＦ信号生成回路と、ＲＦ信号を基にβ値を計測するβ値計測回路と、発光量調整回路を複数の駆動値で駆動しながら光ディスクに記録を行い、それぞれの駆動値に対応する記録信号を再生しβ値を算出して発光量調整回路の調整目標値を決定する制御回路という構成で、発光量調整回路の調整目標値を決定していた。
【特許文献１】特開２００２−１５０５５８号公報
【発明の開示】
【発明が解決しようとする課題】
【０００４】
しかしながら、上記従来の構成では、光ディスク装置毎にβ値の読み値が異なるため、光ディスク装置の製造時に、装置毎にβ値の読み値を補正しなければならないという問題があった。すなわち、光ディスク装置の製造時に、装置毎に異なるβ値の読み値を基準β値と同一の読み値になるように合わせ込まなければならず、光ディスク装置製造時の工数増大の要因になっていた。
【０００５】
本発明は、上記課題を解決するためになされたものであり、光ディスク装置の製造時に、装置毎に異なる信号の読み値を補正することなく、最適な記録パワーを決定できる光ディスク装置およびその制御方法を提供することを目的とする。
【課題を解決するための手段】
【０００６】
本発明は上記課題を解決するためになされたものであって、レーザ光を発光する光源と、レーザ光を光ディスクに照射してデータを記録する光ピックアップと、光源の発光パターンを調整する発光パターン調整手段と、光源の発光量を調整する発光量調整手段と、記録信号を読み取る基準となる基準クロック信号を生成する基準クロック生成手段と、記録信号を再生する際に基準クロック信号に対する位相差を計測する位相差計測手段と、発光パターン調整手段に発光パターンを設定し、発光量調整手段を複数の駆動値で駆動しながら光ディスクに記録を行い、それぞれの駆動値に対応する記録信号を再生して発光量調整手段の調整目標値を決定する制御手段と、を備え、制御手段は、記録信号を再生する際に記録信号の立ち上がり領域の基準クロック信号に対する位相差を計測し、駆動値に応じて異なる位相差から発光量調整手段の調整目標値を決定することを特徴とするものである。
【０００７】
また本発明は、光源の発光パターンを設定し、光源の発光量を調整する発光量調整手段を複数の駆動値で駆動しながら光ディスクに記録を行い、それぞれの駆動値に対応する記録信号を再生して発光量調整手段の調整目標値を決定する光ディスク装置の制御方法であって、記録信号を再生する際に記録データを読み取る基準となる基準クロック信号を生成し、記録信号の立ち上がり領域の基準クロック信号に対する位相差を計測し、発光量調整手段の駆動値に応じて異なる位相差から発光量調整手段の調整目標値を決定することを特徴とするものである。
【発明の効果】
【０００８】
本発明は上記構成により、記録信号を再生する際に光ディスク装置毎に読み値が異ならない記録信号の立ち上がり領域を用いて基準クロック信号に対する位相差を計測し、発光量調整手段の駆動値に応じて異なる位相差から発光量調整手段の調整目標値を決定するので、光ディスク装置毎の信号の読み値に特別な補正をする必要がない。また、発光量調整手段の駆動値に対する感受性が鋭敏である記録信号の立ち上がり領域を用いるので、発光量調整回路の調整目標値を精度良く決定できる。その結果、光ディスク装置毎に異なる信号の読み値を補正することなく、最適な記録パワーを決定できる光ディスク装置およびその制御方法を実現できる。
【発明を実施するための最良の形態】
【０００９】
請求項１記載の発明は、レーザ光を発光する光源と、レーザ光を光ディスクに照射してデータを記録する光ピックアップと、光源の発光パターンを調整する発光パターン調整手段と、光源の発光量を調整する発光量調整手段と、記録信号を読み取る基準となる基準クロック信号を生成する基準クロック生成手段と、記録信号を再生する際に基準クロック信号に対する位相差を計測する位相差計測手段と、発光パターン調整手段に発光パターンを設定し、発光量調整手段を複数の駆動値で駆動しながら光ディスクに記録を行い、それぞれの駆動値に対応する記録信号を再生して発光量調整手段の調整目標値を決定する制御手段と、を備え、制御手段は、記録信号を再生する際に記録信号の立ち上がり領域の基準クロック信号に対する位相差を計測し、駆動値に応じて異なる位相差から発光量調整手段の調整目標値を決定することを特徴とするものである。これにより、記録信号を再生する際に光ディスク装置毎に読み値が異ならない記録信号の立ち上がり領域を用いて基準クロック信号に対する位相差を計測し、発光量調整手段の駆動値に応じて異なる位相差から発光量調整手段の調整目標値を決定するので、光ディスク装置毎の信号の読み値に特別な補正をする必要がない。また、発光量調整手段の駆動値に対する感受性が鋭敏である記録信号の立ち上がり領域を用いるので、発光量調整手段の調整目標値を精度良く決定できる。その結果、光ディスク装置毎に異なる信号の読み値を補正することなく、最適な記録パワーを決定できる光ディスク装置を実現できる。
【００１０】
請求項２記載の発明は、位相差を検出する記録信号が、３Ｔスペース後の３Ｔ記録マークの記録信号であることを特徴とするものである。これにより、発光量調整手段の駆動値に対する感受性が最も鋭敏である“３Ｔスペース後の３Ｔ記録マーク”の記録信号の立ち上がり領域を用いて基準クロック信号に対する位相差を計測し、発光量調整手段の駆動値に応じて異なる位相差から前記発光量調整手段の調整目標値を決定するので、発光量調整手段の調整目標値を精度良く決定できる。
【００１１】
請求項３記載の発明は、記録信号を再生する際にβ値を計測するβ値計測手段と、光ディスクにデータを記録する、もしくは光ディスクに記録されたデータを再生する際のβ値の調整目標値とする目標β値と、記録信号（３Ｔスペース後の３Ｔマークの記録信号）を再生するときの基準値とする基準β値とを記憶する記憶手段と、を有し、制御手段は、記録信号を再生する際に位相差が略０のときのβ値を検出し、そのときのβ値が基準β値と同一になるように補正値を決定し、以降、光ディスクにデータを記録もしくは光ディスクに記録されたデータを再生する際に得られるβ値を補正値で補正して、補正後のβ値が目標β値となるように発光量調整手段の調整目標値を決定することを特徴とするものである。これにより、光ディスク装置の製造時に、光ディスク装置毎に若干異なるβ値の読み値を基準β値と同一の読み値になるように合わせ込む必要がないので、β値の読み値を合わせ込むための基準ディスクを必要としない。その結果、容易な構成で発光量調整手段の調整目標値を決定できる。また、記録信号を再生する際に記録信号の位相差が略０のときのβ値を検出し、そのときのβ値が基準β値と同一になるように補正値を決定するので、精度良いβ値を得ることができる。
【００１２】
請求項４記載の発明は、光源の発光パターンを設定し、光源の発光量を調整する発光量調整手段を複数の駆動値で駆動しながら光ディスクに記録を行い、それぞれの駆動値に対応する記録信号を再生して発光量調整手段の調整目標値を決定する光ディスク装置の制御方法であって、記録信号を再生する際に記録データを読み取る基準となる基準クロック信号を生成し、記録信号の立ち上がり領域の基準クロック信号に対する位相差を計測し、発光量調整手段の駆動値に応じて異なる位相差から発光量調整手段の調整目標値を決定することを特徴とするものである。これにより、記録信号を再生する際に光ディスク装置毎に読み値が異ならない記録信号の立ち上がり領域を用いて基準クロック信号に対する位相差を計測し、発光量調整手段の駆動値に応じて異なる位相差から発光量調整手段の調整目標値を決定するので、光ディスク装置毎の信号の読み値に特別な補正をする必要がない。また、発光量調整手段の駆動値に対する感受性が鋭敏である記録信号の立ち上がり領域を用いるので、発光量調整手段の調整目標値を精度良く決定できる。その結果、光ディスク装置毎に異なる信号の読み値を補正することなく、最適な記録パワーを決定できる光ディスク装置の制御方法を実現できる。
【００１３】
（実施の形態１）
以下、本発明の実施の形態１について、図面を参照しながら説明する。
【００１４】
図１は、本発明の実施の形態１における光源の発光量および発光パターン制御系のブロック図である。図１において、１は光ディスク、２は光ピックアップ、２ａは光源、２ｂは対物レンズ、２ｃは受光部、３は発光パターン調整回路、４は発光量調整回路、５はエンコーダ、６は再生信号処理回路、７はＤＲＣ（Ｄｉｇｉｔａｌ  Ｒｅａｄ  Ｃｈａｎｎｅｌの略、以下単にＤＲＣと呼ぶ）、８は位相差計測回路、９はβ値計測回路、１０はデコーダ、１１はＣＰＵ、１２はメモリ、１３はスピンドルモータ、１４はトラバースモータ、１５はピックアップモジュール、１６はサーボ制御信号生成回路、１７はアクチュエータ制御回路、１８はモータ制御回路である。なお、本実施の形態１における光源は光源２ａ、光ピックアップは光ピックアップ２、発光パターン調整手段は発光パターン調整回路３、発光量調整手段は発光量調整回路４、基準クロック生成手段はＤＲＣ７、位相差計測手段は位相差計測回路８、制御手段はＣＰＵ１１、β値計測手段はβ値計測回路９、記憶手段はメモリ１２に相当する。
【００１５】
ピックアップモジュール１５は、光ディスク１を回転させるスピンドルモータ１３と、光ピックアップ２を光ディスク１の半径方向に移動させるトラバース部と、レーザ光を光ディスク１に照射してデータを記録する、もしくは光ディスク１のデータを再生する光ピックアップ２とによって構成されている。
【００１６】
トラバース部はトラバースモータ１４、ギヤ、スクリューシャフト等から構成され、トラバースモータ１４を回転させることによってトラバース部が移動し、その際トラバースモータ１４からパルスが周期的に出力されるようになっている。また、モータ制御回路１８は、スピンドルモータ１３とトラバースモータ１４の回転制御を行い、それぞれ光ディスク１の回転速度とキャリッジの移動量を制御する。
【００１７】
光ピックアップ２は、レーザ光を発光する光源２ａと、光源２ａが発光したレーザ光を光ディスク１に集光する対物レンズ２ｂと、光ディスク１からの反射光を受光する受光部２ｃとから構成され、受光部２ｃは、光ディスク１からの反射光を電気信号に変換する。
【００１８】
サーボ制御信号生成回路１６は、受光部２ｃからの信号出力を基に、対物レンズ２ｂのフォーカスを制御するフォーカスエラー信号、対物レンズ２ｂのトラッキングを制御するトラッキングエラー信号などのアナログ信号を生成する。そして、生成されたフォーカスエラー信号とトラッキングエラー信号は、アクチュエータ制御回路１７に送られる。
【００１９】
アクチュエータ制御回路１７は、ＯＮ／ＯＦＦ回路、演算回路、フィルタ回路、増幅回路等によって構成され、送られてきたフォーカスエラー信号とトラッキングエラー信号を基に、光ピックアップ２に設けられた対物レンズ２ｂとキャリッジとの相対的な位置関係を示すレンズ位置信号を生成し、光ピックアップ２に出力する。光ピックアップ２では、その信号を基に光ピックアップ２に備えられた対物レンズ２ｂの位置制御を行う。
【００２０】
再生信号処理回路６は、受光部２ｃから出力された電気信号を基にＲＦ信号を生成して、光ディスク１の記録信号をそのＲＦ信号をＤＲＣ７と位相差計測回路８とβ値計測回路９とに出力する。
【００２１】
ＤＲＣ７は、光ディスク１に記録された記録信号を読み取る基準として再生基準クロックを生成し、生成された再生基準クロックを基準タイミングとして、再生信号処理回路６から入力されたＲＦ信号を２値化してデジタル信号に変換し、変換後の信号をデコーダ１０に出力する。また同時に、生成された再生基準クロックを位相差計測回路８にも出力する。
【００２２】
β値計測回路９は、光ディスク１に記録された記録信号を再生する際に、再生信号処理回路６から入力されたＲＦ信号からβ値を計測し、計測したβ値をＣＰＵ１１に出力する。ここで、β値は、ＲＦ信号のＡＣ基準電圧に対するプラス側ピークレベルをＡ１、ＲＦ信号のＡＣ基準電圧に対するマイナス側ピークレベルをＡ２とすると、
β＝（Ａ１＋Ａ２）／（Ａ１−Ａ２）  ・・・  （数式１）
で定義される。すなわち、（Ａ１＋Ａ２）はＲＦ信号のプラス側の振幅とマイナス側の振幅との差、（Ａ１−Ａ２）は振幅であり、基準に対してＲＦ振幅全体がどの程度ずれているかを比率％で表すものである。
【００２３】
位相差計測回路８は、光ディスク１に記録された記録信号を再生する際に、その記録信号の再生基準クロック信号に対する位相差を計測し、計測した位相差をＣＰＵ１１に出力する。
【００２４】
発光パターン調整回路３は、装着された光ディスク１の記録面に最適な記録マークが形成できるように光源２ａの発光パターンを調整する。また、発光量調整回路４も、装着された光ディスク１の記録面に最適な記録マークが形成できるように光源２ａの発光量を調整する。
【００２５】
メモリ１２は、光ディスク１にデータを記録する、もしくは光ディスク１に記録されたデータを再生する際のβ値の調整目標とする目標β値と、記録信号を再生するときの基準値とする基準β値とを記憶し、ＣＰＵ１１の要求に応じて、それらの情報をＣＰＵ１１に出力する。
【００２６】
デコーダ１０は、変調された再生信号を復号するものである。エンコーダ５は、ＨＯＳＴ＿ＩＦからの信号を変調するためのものである。ＨＯＳＴ＿ＩＦは、光ディスク装置とＨＯＳＴ＿ＰＣとの間でデータをやり取りするためのインターフェースである。
【００２７】
ＣＰＵ１１は、発光パターン調整回路３に発光パターンを設定し、発光量調整回路４を複数の駆動値で駆動しながら光ディスク１に記録を行う。そして、それぞれの駆動値に対応する記録信号を再生し、その記録信号の立ち上がり領域の基準クロック信号に対する位相差を計測し、発光量調整回路４の駆動値に応じて異なる位相差から発光量調整回路４の調整目標値を決定する。
【００２８】
また、ＣＰＵ１１は本発明の制御手段を構成し、発光パターン調整回路３、エンコーダ５、発光量調整回路４、位相差計測回路８、β値計測回路９、メモリ１２、サーボ制御信号生成回路１６、アクチュエータ制御回路１７、モータ制御回路１８の各部から送られる信号が入力され、これらの信号の演算処理等を行い、この演算処理の結果（信号）を各部に送出し、各部にて駆動、処理を実行させ、各部の制御を行うものである。
【００２９】
ここで、本発明における光ディスク装置の信号の流れについて説明する。
【００３０】
本発明の光ディスク装置の記録時における信号の流れは、ＣＰＵ１１の記録指令に基づき、アクチュエータ制御回路１７を介して光ピックアップ２を動作させ、光ディスク１にデータの記録を行う。このとき、発光パターン調整回路３に光源２の発光パターンを設定し、発光量調整回路４を複数の駆動値で駆動して光源２の発光量を変化させながら光ディスク１に記録を行う。また、本発明の光ディスク装置の再生時における信号の流れは、光ディスク１に記録された記録データを光ピックアップ２で読み取り、ＣＰＵ１１は、再生信号処理回路６、ＤＲＣ７、位相差検出回路８、β値計測回路９を介して光源２ａの最適発光量を決定するために必要な情報を得る。本発明は、上述の記録と再生を繰り返し行うことにより光源２ａの発光量を最適化する。
【００３１】
次に、光源２ａの発光量と、その発光量で光ディスクに記録された記録マークと位相の関係について説明する。
【００３２】
図２は、本発明の実施の形態１における光源の発光量と記録マークと位相の関係を示す図であり、光源２ａの発光量を３段階に変化させて３Ｔスペース後に３Ｔ記録マークを記録する場合を示している。なお、記録マークは、紙面の左側から右側に向かって順に記録されたものである。また、３ＴはＴを３倍した数値であり、Ｔはチャネルクロックの周期である。
【００３３】
図２（ｄ）は、装着された光ディスク１に対して光源２ａの発光量が最適であるときの記録マークを示している。また、図２（ｅ）は、図２（ｄ）に示す記録マークを再生したときに得られる２値化信号を示している。２値化信号は、再生する記録マークの状態に応じて信号の長さが変化する。
【００３４】
図２（ｃ）は、装着された光ディスク１に対して光源２ａの発光量が最適より大きい場合の記録マークを示している。図２（ｃ）は、図２（ｄ）の場合よりも光源２ａの発光量が大きいため、記録マークの長さは図２（ｄ）の場合よりも長くなる。光源２ａの発光量が最適よりも大きくなる場合、記録マークは記録マークの書き終り側と比較して記録マークの書き始め側がより長くなる。
【００３５】
図２（ｂ）は、装着された光ディスク１に対して光源２ａの発光量が最適より小さい場合の記録マークを示している。図２（ｂ）は、図２（ｄ）の場合よりも光源２ａの発光量が小さいため、記録マークの長さは図２（ｄ）の場合よりも短くなる。光源２ａの発光量が最適よりも小さくなる場合、記録マークは記録マークの書き終り側と比較して記録マークの書き始め側がより短くなる。
【００３６】
図２（ａ）は、図２（ｂ）〜図２（ｄ）に示す記録マークを再生して得られる２値化信号の再生基準クロック信号に対する位相差を示している。
【００３７】
図２（ｃ）に示す記録マークは、図２（ｄ）に示す記録マークと比較して、書き始め側と書き終り側が長くなっている。そのため、図２（ｄ）に対応する位相と比較して、書き始め側と書き終り側共にプラス方向の位相差が発生している。特に、図２（ｃ）に示す記録マークは、記録マークの書き始め側がより長くなるため、図２（ｃ）に示す記録マークに対応する位相差は書き始め側の位相差が大きくなる。すなわち、記録信号の立ち上がり領域の再生基準クロック信号に対する位相差が大きくなる。
【００３８】
また、図２（ｂ）に示す記録マークは、図２（ｄ）に示す記録マークと比較して、書き始め側と書き終り側が短くなっている。そのため、図２（ｄ）に対応する位相と比較して、書き始め側と書き終り側共にマイナス方向の位相差が発生している。特に、図２（ｂ）に示す記録マークは、記録マークの書き始め側がより短くなるため、図２（ｂ）に示す記録マークに対応する位相差は書き始め側の位相差が大きくなる。すなわち、記録信号の立ち上がり領域の再生基準クロック信号に対する位相差が大きくなる。
【００３９】
したがって、記録信号の立ち上がり領域の基準クロック信号に対する位相差が光源２ａの発光量に起因して変化することを利用して、発光量調整回路４の調整目標値を決定することができる。すなわち、ＣＰＵ１１が発光パターン調整回路３に発光パターンを設定し、発光量調整回路４を複数の駆動値で駆動しながら（すなわち、光源２ａの発光量を変化させながら）光ディスク１に記録を行い、発光量調整回路４の駆動値に対応する記録信号を再生して発光量調整回路４の調整目標値（すなわち光源２ａの最適発光量）を決定するとき、ＣＰＵ１１は、記録信号を再生する際に、記録信号の立ち上がり領域の基準クロック信号に対する位相差を計測し、発光量調整回路４の駆動値に応じて異なる位相差から発光量調整回路４の調整目標値を決定することができる。
【００４０】
図３は、本発明の実施の形態１における光源の発光量と記録マークと位相の関係を示す図であり、光源２ａの発光量を３段階に変化させて４Ｔスペース後に４Ｔ記録マークを記録する場合を示している。なお、記録マークは、紙面の左側から右側に向かって順に記録されたものである。また、４ＴはＴを４倍した数値であり、Ｔはチャネルクロックの周期である。
【００４１】
図３（ｄ）は、装着された光ディスク１に対して光源２ａの発光量が最適であるときの記録マークを示している。また、図３（ｅ）は、図３（ｄ）に示す記録マークを再生したときに得られる２値化信号を示している。２値化信号は、再生する記録マークの状態に応じて信号の長さが変化する。
【００４２】
図３（ｃ）は、装着された光ディスク１に対して光源２ａの発光量が最適値より大きい場合の記録マークを示している。図３（ｃ）は、図３（ｄ）の場合よりも光源２ａの発光量が大きいため、記録マークの長さは図３（ｄ）の場合よりも長くなる。光源２ａの発光量が最適値よりも大きくなる場合、図２（ｃ）の場合と異なり、記録マークは記録マークの書き終り側と比較して記録マークの書き始め側がより長くなる傾向が小さくなる。
【００４３】
図３（ｂ）は、装着された光ディスク１に対して光源２ａの発光量が最適値より小さい場合の記録マークを示している。図３（ｂ）は、図３（ｄ）の場合よりも光源２ａの発光量が小さいため、記録マークの長さは図３（ｄ）の場合よりも短くなる。光源２ａの発光量が最適値よりも小さくなる場合、図２（ｂ）の場合と異なり、記録マークは記録マークの書き終り側と比較して記録マークの書き始め側がより短くなる傾向が小さくなる。
【００４４】
図３（ａ）は、図３（ｂ）〜図３（ｄ）に示す記録マークを再生して得られる２値化信号の再生基準クロック信号に対する位相差を示している。
【００４５】
図３（ｃ）に示す記録マークは、図３（ｄ）に示す記録マークと比較して、書き始め側部と書き終り側がそれぞれ書き始め側と書き終り側に長くなっている。そのため、図３（ｄ）に対応する位相と比較して、書き始め側と書き終り側共にプラス方向の位相差が発生している。
【００４６】
また、図３（ｂ）に示す記録マークは、図３（ｄ）に示す記録マークと比較して、書き始め側と書き終り側に短くなっている。そのため、図３（ｄ）に対応する位相と比較して、書き始め側と書き終り側共にマイナス方向の位相差が発生している。
【００４７】
図３の場合は、図２の場合と比較して、記録信号の立ち上がり領域の基準クロック信号に対する位相差が光源２ａの発光量に起因して変化する量が小さくなる。このため、記録信号の立ち上がり領域の位相差を利用して発光量調整回路４の調整目標値を決定する場合、記録差を検出する信号には、３Ｔスペース後の３Ｔ記録マークの記録信号を用いるのが好ましい。
【００４８】
次に、記録マークの立ち上がり位相差を計測する際に用いる記録マークの種類について説明する。
【００４９】
図４は、本発明の実施の形態１における記録マークの種類を示す図である。図４（ａ）は、記録マークの立ち上がり位相差を計測する際に用いる記録マークの種類を示し、先行するスペースの長さと後続する記録マークの長さの組合せを表している。また、図４（ｂ）は、記録マークの立下り位相差を計測する際に用いる記録マークの種類を示し、先行する記録マークの長さと後続するスペースの長さの組合せを表している。なお、立ち上がり位相差とは記録マークの書き始め部分に対応する位相差であり、立下り位相差とは記録マークの書き終り部分に対応する位相差である。
【００５０】
立ち上がり位相差を計測する際に用いる記録マークの種類は、図４（ａ）に示すＴｙｐｅ１〜Ｔｙｐｅ１６の１６通りである。また、立下り位相差を計測する際に用いる記録マークの種類は、図４（ｂ）に示すＴｙｐｅ１７〜Ｔｙｐｅ３２の１６通りである。
【００５１】
図２は、図４の組合せの一例を示したものである。立ち上がり位相差の計測は、図４（ａ）における３Ｔスペース後の３Ｔ記録マーク（Ｔｙｐｅ１）に対応し、立下り位相差の計測は、図４（ｂ）における３Ｔ記録マーク後の３Ｔスペース（Ｔｙｐｅ１７）に対応する。また、図３も、図４の組合せの一例を示したものである。立ち上がり位相差の計測は、図４（ａ）における４Ｔスペース後に４Ｔ記録マーク（Ｔｙｐｅ６）に対応し、立下り位相差は図４（ｂ）における４Ｔ記録マーク後の４Ｔスペース（Ｔｙｐｅ２２）に対応する。
【００５２】
次に、記録マークの種類と光源の発光量と再生基準クロックに対する位相差の関係について説明する。
【００５３】
図５は、本発明の実施の形態１における光源の発光量と再生基準クロックに対する位相差の関係を示す図である。図５（ａ）は、光源の発光量と記録信号の立ち上がり領域における再生基準クロックに対する位相差の関係を示した図であり、図５（ｂ）は、光源の発光量と記録信号の立下り領域における再生基準クロックに対する位相差の関係を示した図である。横軸は光源の発光量、縦軸は再生基準クロックに対する位相差を示している。
【００５４】
図５（ａ）は、図４（ａ）に示す３Ｔスペース後の３Ｔ記録マーク（Ｔｙｐｅ１），４Ｔスペース後の４Ｔ記録マーク（Ｔｙｐｅ６），５Ｔスペース後の５Ｔ記録マーク（Ｔｙｐｅ１１），６Ｔ以上スペース後の６Ｔ以上記録マーク（Ｔｙｐｅ１６）の立ち上がり領域における光源の発光量に対する位相差を示したものである。
【００５５】
立ち上がり領域における再生基準クロックに対する位相差の量は、光源２ａの発光量による影響を受けて変化する。例えば、光源２ａの発光量が、装着された光ディスク１に記録する際の最適値より大きい場合には、立ち上がり領域における位相差はプラス側に変化する。また、光源２ａの発光量が、装着された光ディスク１に記録する際の最適値より小さい場合には、立ち上がり領域における位相差はマイナス側に変化する。
【００５６】
図５（ｂ）は、図４（ｂ）に示す３Ｔ記録マーク後の３Ｔスペース（Ｔｙｐｅ１７），４Ｔ記録マーク後の４Ｔスペース（Ｔｙｐｅ２２），５Ｔ記録マーク後の５Ｔスペース（Ｔｙｐｅ２７），６Ｔ以上記録マーク後の６Ｔ以上スペース（Ｔｙｐｅ３２）の立下り領域における再生基準クロックに対する位相差を示したものである。
【００５７】
立下り領域における再生基準クロックに対する位相差の量は、光源２ａの発光量による影響を受けて変化する。例えば、光源２ａの発光量が、装着された光ディスク１に記録する際の最適値より大きい場合には、立ち上がり領域における位相差はプラス側に変化する。また、光源２ａの発光量が、装着された光ディスク１に記録する際の最適値より小さい場合には、立ち上がり領域における位相差はマイナス側に変化する。
【００５８】
図５（ａ）、図５（ｂ）を比較すると、光源２ａの発光量の大小に起因する立ち上がり位相差または立下り位相差の変化は、図５（ａ）における３Ｔスペース後の３Ｔ記録マークの場合が最も大きくなる。また、スペースの長さが３Ｔより長くなる、もしくは記録マークの長さが３Ｔより長くなるにしたがって、光源２ａの発光量の大小に起因する位相差の変化が小さくなる。
【００５９】
発光量調整回路４の調整目標値決定に立ち上がり位相差または立下り位相差を利用する場合、スペースの長さ、記録マークの長さは共に短い方が好ましい。例えば、記録する光ディスク１がＤＶＤ（Ｄｉｇｉｔａｌ  Ｖｅｒｓａｔｉｌｅ  Ｄｉｓｋの略、以下単にＤＶＤと呼ぶ）の場合、ＤＶＤにおける最も短いスペースと最も短い記録マークの組合せ、すなわち、３Ｔスペース後の３Ｔ記録マークの記録信号を用いることにより、発光量調整回路４の駆動値に対する感受性が最も鋭敏である“３Ｔスペース後の３Ｔ記録マーク”の記録信号の立ち上がり領域を用いて再生基準クロック信号に対する位相差を計測し、発光量調整回路４の駆動値に応じて異なる位相差から発光量調整回路４の調整目標値を決定するので、発光量調整回路４の調整目標値を精度良く決定できる。
【００６０】
次に、立ち上がり領域における位相差により発光量調整回路の調整目標値を決定した後、発光量調整回路の調整目標値をβ値により維持する方法について説明する。
【００６１】
図６は、本発明の実施の形態１における光源の発光量と再生基準クロックに対する位相差とβ値の関係を示す図である。図６において、横軸は光源の発光量、縦軸は位相差およびβ値であり、実線は３Ｔスペース後の３Ｔ記録マークの立ち上がり位相差を示し、一点鎖線はβ値の実測値を示し、鎖線は３Ｔスペース後の３Ｔ記録マークの立ち上がり位相差から得た誤差を含まないβ値の想定値である。
【００６２】
まず、発光パターンとして３Ｔスペース後の３Ｔ記録マークを含むパターンを設定し、発光量調整回路４を複数の駆動値で駆動しながら光ディスク１に記録を行う。すなわち、光源２ａの発光量を変化させながら、３Ｔスペース後の３Ｔ記録マークを含むパターンを光ディスク１に記録する。本実施の形態１では、光源２ａの発光量を８段階（Ｐ１〜Ｐ８）に変化させて記録を行う。その後、記録した記録信号を再生して、それぞれの駆動値、すなわちそれぞれの光源２ａの発光量に対応する記録信号の立ち上がり領域における再生基準クロック信号に対する位相差を計測する。図６では、光源２ａの発光量Ｐ１〜Ｐ８に対応する位相差は、それぞれ位相差Ｉ１〜Ｉ８である。そして、光源２ａの発光量Ｐ１〜Ｐ８と得られた位相差Ｉ１〜Ｉ８との関係から、３Ｔスペース後の３Ｔ記録マークにおける光源２ａの発光量と位相差との関係を１次近似式として近似する。この１次近似式が図６における実線に相当する。その後、光源２ａの発光量と位相差との関係を示す１次近似式において、位相差が略０になる光源２ａの発光量を求め、求めた光源２ａの発光量を最適記録パワーとする。
【００６３】
次に、位相差を検出するために既に記録されている８段階の記録箇所の記録信号を再生して、それぞれの駆動値、すなわちそれぞれの光源２ａの発光量に対応するβ値を計測する。図６では、光源２ａの発光量Ｐ１〜Ｐ８に対応するβ値は、それぞれβ値β１〜β８である。そして、光源２ａの発光量Ｐ１〜Ｐ８と得られたβ値β１〜β８との関係から、所定の記録パターンにおける光源２ａの発光量とβ値との関係を１次近似式として近似する。この１次近似式が一点鎖線に相当する。その後、位相差が略０になる光源２ａの発光量に対応するβ値を、所定の記録パターンにおける光源２ａの発光量とβ値との関係を示す１次近似式から算出する。ここで、算出されるβ値は、光ディスク装置を構成する素子などの特性バラツキを含んだ値となる。図６の場合、位相差が略０になる光源２ａの発光量はＩａであり、その発光量Ｉａに対応するβ値がβａである。
【００６４】
次に、位相差が略０になる光源２ａの発光量に対応するβ値と記録信号を再生する際の基準値である基準β値とを比較して、位相差が略０になる光源２ａの発光量に対応するβ値が、基準β値と同一になるように補正値を決定する。なお、基準β値は予めメモリ１２に記憶されている。図６の場合、位相差が略０になる光源２ａの発光量に対応するβ値はβａであり、記録信号を再生する際の基準値である基準β値はβｂであり、位相差が略０になる光源２ａの発光量に対応するβ値を基準β値と同一にする補正値をβｘとする。
【００６５】
その後、光ディスク１にデータを記録もしくは光ディスクに記録されたデータを再生する際に得られるβ値を補正値βｘで補正して、補正後のβ値が目標β値となるように発光量調整回路４の調整目標値を決定する。
【００６６】
このように、図６に示す処理を行った後、光ディスク１にデータを記録もしくは光ディスク１に記録されたデータを再生する際に得られるβ値を補正値βｘで補正して、補正後のβ値が目標β値となるように発光量調整回路４の調整目標値を決定することにより、光ディスク装置の製造時に、光ディスク装置毎に若干異なるβ値の読み値を基準β値と同一の読み値になるように合わせ込む必要がないので、β値の読み値を合わせ込むための基準ディスクを必要しない。その結果、容易な構成で発光量調整回路４の調整目標値を決定できる。
【００６７】
また、発光量調整回路４で光ディスク１の面内記録感度変化を補正するために必要となる発光量調整をβ値で決定することにより、位相差のみによる面内パワー補正に比べると、より広範囲な発光量調整効果を得ることができる。これは、β値のダイナミックレンジの広さに基づくものである。
【００６８】
次に、記録信号の立ち上がり領域の基準クロック信号に対する位相差を用いた発光量調整回路４の調整目標値を決定する流れについて説明する。
【００６９】
図７は、本発明の実施の形態１における基準クロック信号に対する位相差を用いた発光量調整回路の調整目標値決定方法を示すフローチャートである。
【００７０】
光ディスク１が光ディスクに装着されると、ＣＰＵ１１は、スピンドルモータ１３を回転させ、光源２ａを発光させ、フォーカスサーボ、トラッキングサーボをかける。
【００７１】
ＣＰＵ１１は、発光パターン調整回路３に３Ｔスペース後の３Ｔ記録マークを含むパターンを発光パターンとして設定する（Ｓ１）。そして、発光量調整回路４を複数の駆動値で駆動し、光源２ａの発光量を変化（階段発光）させながら、光ディスク１に記録を行う（Ｓ２）。
【００７２】
次に、ＣＰＵ１１は、光ピックアップ２、再生信号処理回路６、位相差計測回路８を介して、光ディスク１に記録した記録信号を再生し、それぞれの駆動値、すなわちそれぞれの光源２ａの発光量に対応する記録信号の位相差を計測する。このとき、計測される記録信号は３Ｔスペース後の３Ｔ記録マークの記録信号であり、その記録信号の立ち上がり領域における基準クロック信号に対する位相差を計測する（Ｓ３）。それから、ＣＰＵ１１は、光源２ａの発光量とその発光量に対応する位相差との関係から、３Ｔスペース後の３Ｔ記録マークにおける光源２ａの発光量と位相差との関係を１次近似式として近似する（Ｓ４）。この１次近似式が図６における実線に相当する。そして、ＣＰＵ１１は、光源２ａの発光量と位相差との関係を示す１次近似式から位相差が略０になる光源２ａの発光量を求め、求めた光源２ａの発光量を装着された光ディスク１に対する最適発光量すなわち最適記録パワーとする（Ｓ５）。
【００７３】
次に、記録信号の立ち上がり領域の基準クロック信号に対する位相差からβ値の補正値βｘを決定し、その補正値βで補正したβ値が目標β値となるように発光量調整回路の調整目標値を決定する流れについて説明する。
【００７４】
図８は、本発明の実施の形態１における補正後のβ値を用いた発光量調整回路の調整目標値決定方法を示すフローチャートである。
【００７５】
光ディスク１が光ディスク装置に装着されると、ＣＰＵ１１は、スピンドルモータ１３を回転させ、光源２ａを発光させ、フォーカスサーボ、トラッキングサーボをかける。
【００７６】
ＣＰＵ１１は、発光パターン調整回路３に３Ｔスペース後の３Ｔ記録マークを発光パターンとして設定する（Ｓ１）。そして、発光量調整回路４を複数の駆動値で駆動し、光源２ａの発光量を変化（階段発光）させながら、光ディスク１に記録を行う（Ｓ２）。
【００７７】
次に、ＣＰＵ１１は、光ピックアップ２、再生信号処理回路６、位相差計測回路８を介して、光ディスク１に記録した記録信号を再生し、それぞれの駆動値、すなわちそれぞれの光源２ａの発光量に対応する記録信号の位相差を計測する。このとき、計測される記録信号は３Ｔスペース後の３Ｔ記録マークの記録信号であり、その記録信号の立ち上がり領域における基準クロック信号に対する位相差を計測する（Ｓ３）。それから、ＣＰＵ１１は、光源２ａの発光量とその発光量に対応する位相差との関係から、３Ｔスペース後の３Ｔ記録マークにおける光源２ａの発光量と位相差との関係を１次近似式として近似する（Ｓ４）。この１次近似式が図６における実線に相当する。そして、ＣＰＵ１１は、光源２ａの発光量と位相差との関係を示す１次近似式から位相差が略０になる光源２ａの発光量を求め、求めた光源２ａの発光量を装着された光ディスク１に対する最適発光量すなわち最適記録パワーとする（Ｓ５）。
【００７８】
次に、ＣＰＵ１１は、光ピックアップ２、再生信号処理回路６、位相差計測回路８を介して、光ディスク１に記録した記録信号を再生し、それぞれの駆動値、すなわちそれぞれの光源２ａの発光量に対応する記録信号のβ値を計測する（Ｓ６）。このとき、計測される記録信号は所定の発光パターンの記録信号である。それから、ＣＰＵ１１は、光源２ａの発光量とその発光量に対応するβ値との関係から、所定の発光パターンにおける光源２ａの発光量とβ値との関係を１次近似式として近似する（Ｓ７）。この１次近似式が図６における一点鎖線に相当する。その後、ＣＰＵ１１は、所定の記録パターンにおける光源２ａの発光量とβ値との関係を示す１次近似式から、位相差が略０になる光源２ａの発光量に対応するβ値を算出する（Ｓ８）。
【００７９】
次に、ＣＰＵ１１は、位相差が略０になる光源２ａの発光量に対応するβ値と記録信号を再生する際の基準値である基準β値とを比較して、位相差が略０になる光源２ａの発光量に対応するβ値が、基準β値と同一になるように補正値βｘを決定する（Ｓ９）。
【００８０】
その後、ＣＰＵ１１は、光ディスク１にデータを記録もしくは光ディスクに記録されたデータを再生する際に得られるβ値を補正値βｘで補正して、補正後のβ値が目標β値となるように発光量調整回路４の調整目標値を決定する（Ｓ１０）。
【００８１】
以上の内容により、記録信号を再生する際に、光ディスク装置毎に読み値が異ならない記録信号の立ち上がり領域を用いて基準クロック信号に対する位相差を計測し、発光量調整回路４の駆動値に応じて異なる位相差から発光量調整回路の調整目標値を決定するので、光ディスク装置毎の信号の読み値に特別な補正をする必要がない。また、発光量調整回路の駆動値に対する感受性が鋭敏である記録信号の立ち上がり領域を用いるので、発光量調整回路の調整目標値を精度良く決定できる。その結果、光ディスク装置毎に異なる信号の読み値を補正することなく、最適な記録パワーを決定できる光ディスク装置を実現できる。
【産業上の利用可能性】
【００８２】
本発明は、装置毎に異なる信号の読み値を補正することなく、最適な記録パワーを決定できるので、光ディスクに情報の記録を行う光ディスク装置およびその制御方法などに適応可能である。
【図面の簡単な説明】
【００８３】
【図１】本発明の実施の形態１における光源の発光量および発光パターン制御系のブロック図
【図２】本発明の実施の形態１における光源の発光量と記録マークと位相の関係を示す図
【図３】本発明の実施の形態１における光源の発光量と記録マークと位相の関係を示す図
【図４】本発明の実施の形態１における記録マークの種類を示す図
【図５】本発明の実施の形態１における光源の発光量と再生基準クロックに対する位相差の関係を示す図
【図６】本発明の実施の形態１における光源の発光量と再生基準クロックに対する位相差とβ値の関係を示す図
【図７】本発明の実施の形態１における基準クロック信号に対する位相差を用いた発光量調整回路の調整目標値決定方法を示すフローチャート
【図８】本発明の実施の形態１における補正後のβ値を用いた発光量調整回路の調整目標値決定方法を示すフローチャート
【符号の説明】
【００８４】
１    光ディスク
２    光ピックアップ
２ａ    光源
２ｂ    対物レンズ
２ｃ    受光部
３    発光パターン調整回路
４    発光量調整回路
５    エンコーダ
６    再生信号処理回路
７    ＤＲＣ
８    位相差計測回路
９    β値計測回路
１０    デコーダ
１１    ＣＰＵ
１２    メモリ
１３    スピンドルモータ
１４    トラバースモータ
１５    ピックアップモジュール
１６    サーボ制御信号生成回路
１７    アクチュエータ制御回路
１８    モータ制御回路
【図１】
2010165386.tif 000003
【図２】
2010165386.tif 000004
【図３】
2010165386.tif 000005
【図４】
2010165386.tif 000006
【図５】
2010165386.tif 000007
【図６】
2010165386.tif 000008
【図７】
2010165386.tif 000009
【図８】
2010165386.tif 000010